【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
サーバとネットワークを介して接続された端末が、前記サーバ上に設けられ所定のデータを蓄積するデータ蓄積手段にネットワークを介してアクセスを行ない、該ネットワークを介して行なわれる結婚祝としての商品についての贈与を仲介する贈与仲介システムであって、
前記端末からのネットワークを介したアクセス後に参照可能とされる情報であって、複数の結婚祝としての商品に関する情報を個別に予め記憶した商品情報記憶手段と、
前記端末からの所定の指示に基づいて、前記商品情報記憶手段に情報が記憶された複数の商品から、贈与を受けようとする一以上の商品を受領希望商品として特定する商品特定手段と、
該商品特定手段により特定された各受領希望商品につき、贈与を受ける者を表わす情報である受領者情報を入力する入力手段と、
前記商品特定手段により特定された受領希望商品に関する情報を、前記受領者情報と共に、前記端末の画面に一覧的に表示する一覧画面表示手段と、
前記商品特定手段により特定された受領希望商品に関する情報を、前記受領者情報と関連付けて、前記データ蓄積手段に登録する商品登録手段と、
該商品登録手段により登録された内容に基づいて、前記受領希望商品についての情報と前記受領者情報とが関連付けられた一のリストを作成するリスト作成手段と、
該リストの作成後に、前記端末からのネットワークを介したアクセスがなされたとき、前記リスト内の受領希望商品についての情報および前記受領者情報を、前記端末の画面に一覧的に表示する第１の表示手段と、
該第１の表示手段により表示された画面上で、前記受領希望商品の中から前記贈与を受ける者に贈ることを希望する商品が選択されたとき、該選択された商品を前記贈与を受ける者への贈答品として登録する贈答品登録手段と
を備えると共に、
前記第１の表示手段により表示された画面上で、前記受領希望商品の中から選択された商品について個別にその代金の負担の申し込みを受け付ける申込手段を備え、
前記第１の表示手段によって前記端末の画面に一覧的に表示される受領希望商品についての情報には、前記受領希望商品に関する情報に加えて、前記受領希望商品についての代金の負担の申し込み状況が含まれる
贈与仲介システム。
【請求項２】
請求項１に記載の贈与仲介システムであって、
前記贈与を行なう者のアドレスを登録するアドレス登録手段と、
前記商品登録手段による登録の終了後に、前記アドレス登録手段に登録されたアドレスに、前記データ蓄積手段へのアクセス方法に関する情報を通知する通知手段と
を備えた贈与仲介システム。
【請求項３】
請求項１または２に記載の贈与仲介システムであって、
前記商品情報記憶手段は、前記複数の商品に関する情報を予めそのカテゴリと共に記憶しており、前記商品特定手段による受領希望商品の特定に際して、該カテゴリ別に分類した状態で、当該記憶された商品に関する情報を表示する手段を備えた贈与仲介システム。
【請求項４】
請求項１ないし３のいずれかに記載の贈与仲介システムであって、前記商品情報記憶手段は、少なくとも、該商品の値段に関する情報と、当該商品の外観写真を記憶しており、前記外観写真を、拡大表示可能に表示する手段を備えた贈与仲介システム。
【請求項５】
前記登録された受領希望商品の削除を指示する削除ボタンを表示する手段を有する請求項１ないし４のいずれかに記載の贈与仲介システム。
【請求項６】
請求項１ないし５のいずれかに記載の贈与仲介システムであって、
前記申込手段は、前記選択された商品の金額に対して、該金額の一部の負担を指定可能とする一部負担申込手段を備え、
前記第１の表示手段は、前記受領希望商品についての代金の負担の申し込み状況として、前記一部の負担が申し込まれた受領希望商品につき、申し込まれた負担部分の合計を表示する負担部分表示手段を備えた
贈与仲介システム。
【請求項７】
請求項１ないし６のいずれかに記載の贈与仲介システムであって、
前記端末からのネットワークを介したアクセスにより、前記第１の表示手段により画面に表示される受領希望商品についての情報に加えて、前記商品登録手段によって登録された受領希望商品に係わる情報を前記端末の画面に一覧的に表示する第２の表示手段を備え、
該第２の表示手段は、前記受領希望商品に係わる情報として、前記申し込み済みの受領希望商品につき、前記申し込みを行なった者を特定する情報を表示する手段である
贈与仲介システム。
【請求項８】
前記申込手段若しくは前記一部負担申込手段により申し込まれた受領希望商品の代金の支払いを、該申し込みを行なった者に求める支払い請求手段を備えた請求項１ないし７のいずれかに記載の贈与仲介システム。
【請求項９】
請求項１ないし８のいずれかに記載の贈与仲介システムであって、
前記データ蓄積手段へのアクセスの期限を記憶する期限記憶手段と、
該期限の経過を判定する期限経過判定手段と、
該期限が経過したとき、前記申し込みの行なわれた受領希望商品についての情報を、前記受領希望商品の登録を行なった者に通知する通知手段と
を備えた贈与仲介システム。
【請求項１０】
サーバとネットワークを介して接続された端末が、前記サーバ上に設けられ所定のデータを蓄積するデータ蓄積手段にネットワークを介してアクセスを行ない、該ネットワークを介して行なわれる結婚祝としての商品についての贈与を仲介する贈与仲介方法であって、
前記端末からのネットワークを介したアクセス後に参照可能とされる情報であって、複数の結婚祝としての商品に関する情報を個別に予め記憶し、
前記端末からの所定の指示に基づいて、前記情報が記憶された複数の商品から、贈与を受けようとする一以上の商品を受領希望商品として特定し、
該特定された各受領希望商品につき、贈与を受ける者を表わす情報である受領者情報を入力し、
該特定された受領希望商品に関する情報を、前記受領者情報と共に、前記端末の画面に一覧的に表示し、
前記特定された受領希望商品に関する情報を、前記受領者情報と関連付けて、前記データ蓄積手段に登録し、
該登録された内容に基づいて、前記受領希望商品についての情報と前記受領者情報とが関連付けられた一のリストを作成し、
該リストの作成後に、前記端末からのネットワークを介したアクセスがなされたとき、前記リスト内の受領希望商品についての情報および前記受領者情報を、前記端末の画面に一覧的に表示し、
該一覧的に表示された画面上で、前記受領希望商品の中から前記贈与を受ける者に贈ることを希望する商品が選択されたとき、該選択された商品を前記贈与を受ける者への贈答品として登録すると共に、
前記リストの作成後のアクセスによって表示された画面上で、前記受領希望商品の中から選択された商品について個別にその代金の負担の申し込みを受け付け、
前記端末の画面に一覧的に表示される受領希望商品についての情報には、前記受領希望商品に関する情報に加えて、前記受領希望商品についての代金の負担の申し込み状況が含まれる
贈与仲介方法。
【手続補正２】
【補正対象書類名】明細書
【補正対象項目名】０００７
【補正方法】変更
【補正の内容】
【０００７】
【課題を解決するための手段およびその作用・効果】
上記課題の少なくとも一部を解決する本発明の贈与仲介システムは、
サーバとネットワークを介して接続された端末が、前記サーバ上に設けられ所定のデータを蓄積するデータ蓄積手段にネットワークを介してアクセスを行ない、該ネットワークを介して行なわれる結婚祝としての商品についての贈与を仲介する贈与仲介システムであって、
前記端末からのネットワークを介したアクセス後に参照可能とされる情報であって、複数の結婚祝としての商品に関する情報を個別に予め記憶した商品情報記憶手段と、
前記端末からの所定の指示に基づいて、前記商品情報記憶手段に情報が記憶された複数の商品から、贈与を受けようとする一以上の商品を受領希望商品として特定する商品特定手段と、
該商品特定手段により特定された各受領希望商品につき、贈与を受ける者を表わす情報である受領者情報を入力する入力手段と、
前記商品特定手段により特定された受領希望商品に関する情報を、前記受領者情報と共に、前記端末の画面に一覧的に表示する一覧画面表示手段と、
前記商品特定手段により特定された受領希望商品に関する情報を、前記受領者情報と関連付けて、前記データ蓄積手段に登録する商品登録手段と、
該商品登録手段により登録された内容に基づいて、前記受領希望商品についての情報と前記受領者情報とが関連付けられた一のリストを作成するリスト作成手段と、
該リストの作成後に、前記端末からのネットワークを介したアクセスがなされたとき、前記リスト内の受領希望商品についての情報および前記受領者情報を、前記端末の画面に一覧的に表示する第１の表示手段と、
該第１の表示手段により表示された画面上で、前記受領希望商品の中から前記贈与を受ける者に贈ることを希望する商品が選択されたとき、該選択された商品を前記贈与を受ける者への贈答品として登録する贈答品登録手段と
を備えると共に、
前記第１の表示手段により表示された画面上で、前記受領希望商品の中から選択された商品について個別にその代金の負担の申し込みを受け付ける申込手段を備え、
前記第１の表示手段によって前記端末の画面に一覧的に表示される受領希望商品についての情報には、前記受領希望商品に関する情報に加えて、前記受領希望商品についての代金の負担の申し込み状況が含まれることを要旨としている。
【手続補正３】
【補正対象書類名】明細書
【補正対象項目名】０００８
【補正方法】変更
【補正の内容】
【０００８】
また、この贈与仲介システムに対応した贈与仲介方法の発明は、
サーバとネットワークを介して接続された端末が、サーバ上に設けられ所定のデータを蓄積するデータ蓄積手段にネットワークを介してアクセスを行ない、該ネットワークを介して行なわれる結婚祝としての商品についての贈与を仲介する贈与仲介方法であって、
前記端末からのネットワークを介したアクセス後に参照可能とされる情報であって、複数の結婚祝としての商品に関する情報を個別に予め記憶し、
前記端末からの所定の指示に基づいて、前記情報が記憶された複数の商品から、贈与を受けようとする一以上の商品を受領希望商品として特定し、
該特定された各受領希望商品につき、贈与を受ける者を表わす情報である受領者情報を入力し、
該特定された受領希望商品に関する情報を、前記受領者情報と共に、前記端末の画面に一覧的に表示し、
前記特定された受領希望商品に関する情報を、前記受領者情報と関連付けて、前記データ蓄積手段に登録し、
該登録された内容に基づいて、前記受領希望商品についての情報と前記受領者情報とが関連付けられた一のリストを作成し、
該リストの作成後に、前記端末からのネットワークを介したアクセスがなされたとき、前記リスト内の受領希望商品についての情報および前記受領者情報を、一覧的に画面表示し、
該一覧的に表示された画面上で、前記受領希望商品の中から前記贈与を受ける者に贈ることを希望する商品が選択されたとき、該選択された商品を前記贈与を受ける者への贈答品として登録すると共に、
前記リストの作成後のアクセスによって表示された画面上で、前記受領希望商品の中から選択された商品について個別にその代金の負担の申し込みを受け付け、
前記端末の画面に一覧的に表示される受領希望商品についての情報には、前記受領希望商品に関する情報に加えて、前記受領希望商品についての代金の負担の申し込み状況が含まれることを要旨としている。
【手続補正４】
【補正対象書類名】明細書
【補正対象項目名】０００９
【補正方法】変更
【補正の内容】
【０００９】
かかる贈与仲介の手法によれば、商品の登録を次の構成で対応する。すなわち、端末からのネットワークを介したアクセス後に参照可能とされる情報であって、複数の結婚祝としての商品に関する情報を個別に予め記憶した商品情報記憶手段を設け、この商品情報記憶手段に情報が記憶された複数の商品から、端末からの所定の指示に基づいて、一以上の商品を受領希望商品として特定すると共に、該特定された各受領希望商品につき、贈与を受ける者を表わす情報である受領者情報を入力するものとし、こうして特定された一以上の受領希望商品に関する情報を、前記受領者情報と共に、一覧的に画面表示し、特定された受領希望商品に関する情報を、受領者情報と関連付けて、データ蓄積手段に登録する手段を設けるのである。こうすれば、商品を登録しようとする者は、商品情報記憶手段に記憶された複数の商品から受領希望商品を特定したとき、これを一覧的に参照することができ、どのような商品を特定したか容易に把握することができる。ここで「一覧的」としたのは、全ての商品が完全な一覧表として表示される必要はなく、商品のカテゴリや値段別に、一覧表として表示されても良いし、表示画面や印刷用紙の大きさによっては複数の画面や印刷用紙に分かれて表示されても良いからである。もとより、一画面、一印刷用紙に入りきらないときには、文字の大きさなどを自動的に調整して、完全な一覧表として表示することも差し支えない。一覧的な表示は、モニタなどの画面上に行なっても良いし、印刷しても良い。
加えて、上記の贈与仲介の手法では、贈与しようとする者は、贈与を受けようとする人が登録した受領希望商品についての情報を参照（例えば一覧的表示により参照）することができるが、更にネットワークを介して、直接これらの商品の購入を負担するシステムを構成することも可能である。すなわち、商品登録手段により登録された内容に基づいて、前記受領希望商品についての情報と前記受領者情報とが関連付けられた一のリストを作成し、該リストの作成後に、前記端末からのネットワークを介したアクセスがなされたとき、前記リスト内の受領希望商品についての情報および前記受領者情報を端末の画面に一覧的に表示し、該一覧的に表示された画面上で受領希望商品の中から贈与を受ける者に贈ることを希望する商品が選択されたとき、該選択された商品を贈与を受ける者への贈答品として登録するのである。
更に、上記の贈与仲介の手法では、前記リストの作成後のアクセスによって前記第１の表示手段により表示された画面上で、前記受領希望商品の中から選択された商品について個別にその代金の負担の申し込みを受け付ける申込手段を備えており、前記第１の表示手段によって前記端末の画面に一覧的に表示される受領希望商品についての情報には、前記受領希望商品に関する情報に加えて、前記受領希望商品についての代金の負担の申し込み状況が含まれる。これにより、端末の画面には、受領希望商品に関する情報に加えて、受領希望商品についての代金の負担の申し込み状況が表示される。この場合、更に、申し込まれた商品を、申し込み済みとして表示する手段を設けても良い。
【手続補正５】
【補正対象書類名】明細書
【補正対象項目名】００１０
【補正方法】変更
【補正の内容】
【００１０】
上記の贈与仲介システムおよびその方法には、様々な展開を考えることができる。以下、仲介装置を例にとって説明するが、仲介方法としても、ほぼ同様の展開が可能である。例えば、贈与を受ける者についての情報を、ネットワーク上で特定可能な個人情報と共に予め登録する第１の記憶手段と、贈与を行なう者をネットワーク上で認識可能なパスワードを記憶する第２の記憶手段と、前記ネットワークを介したアクセスがあったとき、前記個人情報の認証を行ない、前記第１の記憶手段に登録された個人情報の少なくとも一部との対応が認定された場合には、前記ネットワークを介した前記データ蓄積手段へのアクセスを許可する許可手段とを備え、前記情報記憶手段に記憶された商品に関する情報を、許可手段による許可を受けたアクセス後に参照可能とされる情報とし、前記第１の表示手段によるリスト内の受領希望商品についての情報および前記受領者情報の表示を、前記第２の記憶手段に記憶されたパスワードを用いた前記ネットワークを介したアクセスによって行なう構成を採ってもよい。こうすれば、結婚祝としての商品の贈与を受けようとするものは、ネットワークを介してデータ蓄積手段にアクセスする際、予め登録した個人情報との対応が確認されてから、データ蓄積手段へのアクセスが許可される。アクセスの許可を受けたものは、データ蓄積手段に、贈与を受けようとする一以上の商品を受領希望商品として登録する。一以上の商品の登録をするためには、個人情報との対応の認定が必要となるから、いたずらなどで、データ蓄積手段に、受領希望商品が登録されることがない。一方、贈与しようとする者は、予め登録したパスワードを用いることで、ネットワークを介して、登録された受領希望商品を参照することができる。従って、贈与を行なおうとする者だけが、登録された受領希望商品を参照することができ、贈与を受けようとするものが望んでいる商品を的確に贈呈することができる。登録された受領希望商品を参照するのに、パスワードが必要となることから、無関係なものに、プライバシーを公開することがない。
【手続補正６】
【補正対象書類名】明細書
【補正対象項目名】００１１
【補正方法】変更
【補正の内容】
【００１１】
上記の個人情報を記憶する第１の記憶手段は、２以上の者についての前記情報を、単一の個人情報と共に記憶する手段とすることができる。結婚などの場合には、一組のカップルが贈与を受けることになるので、贈与を受ける者の個人情報は単一とし、この個人情報と共に、カップルを構成する２以上の者についての情報を記憶しておくことが、簡便である。また、贈与を受けるイベントの種類、例えば結婚、出産、誕生日、進学などを登録する手段と、該登録されたイベントの種類が、婚約、結婚など複数人に関与するイベントとして予め登録されたものに該当する場合には、該複数人についての前記情報を、単一の前記個人情報と共に記憶する手段とを備えるものとすることができる。全てのイベントが複数人に関与する訳ではないので、予め登録したイベントに限って、複数人の情報の登録を可能とした方が、登録する情報の誤りなどが生じにくいからである。
【手続補正７】
【補正対象書類名】明細書
【補正対象項目名】００１２
【補正方法】変更
【補正の内容】
【００１２】
贈与を行なう者のアドレスを登録するアドレス登録手段と、前記商品登録手段による登録の終了後に、前記アドレス登録手段に登録されたアドレスに、前記データ蓄積手段へのアクセス方法に関する情報を通知する通知手段とを備えることも可能である。こうすれば、商品を登録した後、贈与を行なおうとしている者のアドレス（住所、Ｅメールアドレス等）に、アクセス方法に関する情報を通知できるので、贈与を受けようとする者が、いちいち相手に連絡する手間や、贈与を行なおうとする者が、いちいち本人にアクセス方法を尋ねるといった手間を省くことができる。
【手続補正８】
【補正対象書類名】明細書
【補正対象項目名】００１３
【補正方法】削除
【補正の内容】
【手続補正９】
【補正対象書類名】明細書
【補正対象項目名】００１７
【補正方法】変更
【補正の内容】
【００１７】
このように登録した商品を一覧的に表示する構成を備えた贈与仲介システムでは、登録された受領希望商品の削除を指示する削除ボタンを表示することも有用である。一旦、商品を指定してこれを登録しても、後から削除したくなる場合があるからである。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
受領希望商品についての代金の負担の申込は、一人がひとつの受領希望商品の代金を負担するものとしても良いが、一人が二つ以上の受領希望商品の代金を負担するものとすることもできる。更に、この贈与仲介システムにおいて、申込手段が、受領希望商品として選択された商品の金額に対して、該金額の一部の負担を指定可能とする一部負担申込手段を備えるものとすることができる。高額な商品や役務の場合には、一人で負担することが困難な場合も想定される。こうした場合に、一部負担を可能とすれば、代金負担の申込が容易となるだけでなく、単独では贈与を期待できないような高額商品の贈呈、贈与を受けることも可能となる。こうした場合には、第１の表示手段が、一部の負担が申し込まれた受領希望商品につき、申し込まれた負担部分の合計を、受領希望商品についての代金の負担の申し込み状況として表示する負担部分表示手段を備えるものとすることができる。負担部分の合計が表示されれば、後から申し込む者にとって、残余の部分を容易に知ることができ、好適である。
【手続補正１２】
【補正対象書類名】明細書
【補正対象項目名】００２０
【補正方法】変更
【補正の内容】
【００２０】
ここで、代金の負担の申込とは、直接オンラインで、支払いを済ませるものはもとより、ネットワークを介して、負担の申し出のみ済ませ、後から実際の支払いを行なうものも含む。この場合、贈与仲介システムは、代金の負担が申し込まれた受領希望商品の代金の支払いを、該申し込みを行なった者に求める支払い請求手段を備えればよい。こうした支払い請求手段としては、例えば銀行振込の用紙を送付したり、請求書を発行する手段などが該当する。
【手続補正１３】
【補正対象書類名】明細書
【補正対象項目名】００２１
【補正方法】変更
【補正の内容】
【００２１】
更に、ネットワークを介したアクセスが前記許可手段により許可されたとき、前記第１の表示手段により画面に表示される受領希望商品についての情報に加えて、前記商品登録手段によって登録された受領希望商品に係わる情報を前記端末の画面に一覧的に表示する第２の表示手段を備えると共に、該第２の表示手段を、受領希望商品に係わる情報として、申し込み済みの受領希望商品につき、申し込みを行なった者を特定する情報を表示する手段としてもよい。この場合、この情報を見るものは、贈与を受ける者であり、受ける側は、誰がその商品を贈与してくれるのか、ネットワークを介して参照することにより知ることができ、好適である。
【手続補正１４】
【補正対象書類名】明細書
【補正対象項目名】００２２
【補正方法】変更
【補正の内容】
【００２２】
また、こうした贈与仲介システムにおいて、データ蓄積手段へのアクセスの期限を記憶しておき、この期限が経過したとき、申し込みの行なわれた受領希望商品についての情報を、受領希望商品の登録を行なった者に通知するものとしても良い。こうすれば、贈与を受けようとして受領希望商品を登録した者は、期限の経過時に、どの商品が贈与されるかを、確実に知ることができる。
【手続補正１５】
【補正対象書類名】明細書
【補正対象項目名】００２３
【補正方法】変更
【補正の内容】
【００２３】
贈与を受ける者は、受け取る商品を自ら取りに行っても良いが、贈与仲介システムにおいて、第１の記憶手段に、贈与を受けようとする者についての情報として、当該者の現住所の他に、申し込み済みの受領希望商品の配達先を登録しておき、その配達先に商品の配達を受けるものとしても差し支えない。結婚の予定がある場合等には、贈与を受けようとする商品の登録を行なった時点での現住所と、結婚後に暮らす住所とは異なることが少ない。こうした場合に容易に対応することができる。